【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
１つ又は複数の薬物の１つ又は複数の用量を格納するように構成された固定可能な容器と、
前記１つ又は複数の薬物の前記１つ又は複数の用量へのアクセスを選択可能に許可するように構成されたアクセス装置と、
ユーザからのユーザ入力を取得するように構成された電子インターフェースと、
プロセッサであって、
前記ユーザ入力をデータベースと比較するステップと、
前記比較に応答して、前記１つ又は複数の用量から適切な用量を選択するステップと、
前記アクセス装置を介する前記適切な用量へのアクセスを許可するステップとを行うように構成されたプロセッサとを備える、薬物ディスペンサ。
【請求項２】
前記１つ又は複数の薬物の少なくとも１つが非処方薬物である、請求項１に記載の薬物ディスペンサ。
【請求項３】
前記電子インターフェースがタッチ・スクリーンを含む、請求項１に記載の薬物ディスペンサ。
【請求項４】
前記ユーザが患者である、請求項１に記載の薬物ディスペンサ。
【請求項５】
前記ユーザ入力が患者の症状に関する情報を含む、請求項１に記載の薬物ディスペンサ。
【請求項６】
前記データベースが、患者に対して承認された薬物に関する情報を含む、請求項１に記載の薬物ディスペンサ。
【請求項７】
前記データベースが、患者の症状を前記１つ又は複数の薬物に相関させる情報を含む、請求項１に記載の薬物ディスペンサ。
【請求項８】
前記適切な用量が前記患者入力によって説明された症状に対応する、請求項１に記載の薬物ディスペンサ。
【請求項９】
前記アクセスを許可するステップが、医療従事者に警告を提供し、前記アクセス装置を介してのアクセスを前記医療従事者に対して許可することを含む、請求項１に記載の薬物ディスペンサ。
【請求項１０】
前記アクセスを許可するステップが、前記アクセス装置を介してのアクセスを前記ユーザに対して許可することを含む、請求項１に記載の薬物ディスペンサ。
【請求項１１】
前記プロセッサが更に、分配された薬物の記録を保持するように構成された、請求項１に記載の薬物ディスペンサ。
【請求項１２】
１つ又は複数の薬物の１つ又は複数の用量を格納するように構成された固定可能な容器と、
前記１つ又は複数の薬物の前記１つ又は複数の用量へのアクセスを選択可能に許可するように構成されたアクセス装置と、
ユーザからのユーザ入力を取得するように構成された電子インターフェースとを備える薬物ディスペンサを介護地点に設置するステップと、
前記介護地点で前記ユーザからのユーザ入力を取得するステップと、
前記ユーザ入力をデータベースと比較するステップと、
前記比較に応答して、前記１つ又は複数の用量から適切な用量を選択するステップと、
前記アクセス装置を介する前記適切な用量へのアクセスを許可するステップとを含む、薬物を分配する方法。
【請求項１３】
前記薬物ディスペンサがプロセッサを更に備え、前記比較するステップ及び前記選択するステップが前記プロセッサによって行われる、請求項１２に記載の方法。
【請求項１４】
前記１つ又は複数の薬物の少なくとも１つが非処方薬物である、請求項１２に記載の方法。
【請求項１５】
前記電子インターフェースがタッチ・スクリーンを含む、請求項１２に記載の方法。
【請求項１６】
前記ユーザが患者である、請求項１２に記載の方法。
【請求項１７】
前記ユーザ入力が患者の症状に関する情報を含む、請求項１２に記載の方法。
【請求項１８】
前記データベースが、患者に対して承認された薬物に関する情報を含む、請求項１２に記載の方法。
【請求項１９】
前記データベースが、患者の症状を前記１つ又は複数の薬物に相関させる情報を含む、請求項１２に記載の方法。
【請求項２０】
前記適切な用量が前記患者入力によって説明された症状に対応する、請求項１２に記載の方法。
【請求項２１】
前記アクセスを許可するステップが、医療従事者に警告を提供し、前記アクセス装置を介してのアクセスを前記医療従事者に対して許可することを含む、請求項１２に記載の方法。
【請求項２２】
前記アクセスを許可するステップが、前記アクセス装置を介してのアクセスを前記ユーザに対して許可することを含む、請求項１２に記載の方法。
【請求項２３】
分配された薬物の記録を保持するステップを更に含む、請求項１２に記載の方法。
【請求項２４】
１つ又は複数の薬物の１つ又は複数の用量を格納する固定可能な手段と、
前記１つ又は複数の薬物の前記１つ又は複数の用量へのアクセスを選択可能に許可する手段と、
ユーザからのユーザ入力を取得する電子インターフェース手段と、
処理手段であって、
前記ユーザ入力をデータベースと比較するステップと、
前記比較に応答して、前記１つ又は複数の用量から適切な用量を選択するステップと、
前記適切な用量へのアクセスを選択可能に許可する手段を介する前記適切な用量へのアクセスを許可するステップとを行う処理手段とを備える、介護地点薬物ディスペンサ。
【請求項２５】
１つ又は複数の薬物の１つ又は複数の用量を格納するように構成された固定可能な容器と、
前記１つ又は複数の薬物の前記１つ又は複数の用量へのアクセスを選択可能に許可するように構成されたアクセス装置と、
ユーザからのユーザ入力を取得するように構成された電子インターフェースと、
プロセッサであって、
前記ユーザ入力をデータベースと比較するステップと、
前記比較に応答して、前記複数の薬物から適切な薬物を決定し、且つ、前記薬物の前記１つ又は複数の用量から適切な用量を決定するステップと、
前記決定された薬物の適切な用量を選択するステップと、
前記アクセス装置を介する前記適切な用量へのアクセスを許可するステップとを行うように構成されたプロセッサとを備える、薬物ディスペンサ。
【請求項２６】
１つ又は複数の薬物の１つ又は複数の用量を格納するように構成された固定可能な容器と、
前記１つ又は複数の薬物の前記１つ又は複数の用量へのアクセスを選択可能に許可するように構成されたアクセス装置と、
ユーザからのユーザ入力を取得するように構成された電子インターフェースとを備える薬物ディスペンサを介護地点に設置するステップと、
前記介護地点で前記ユーザからのユーザ入力を取得するステップと、
前記ユーザ入力をデータベースと比較するステップと、
前記比較に応答して、前記複数の薬物から適切な薬物を決定し、且つ、前記薬物の前記１つ又は複数の用量から適切な用量を決定するステップと、
前記決定された薬物の適切な用量を選択するステップと、
前記アクセス装置を介する前記適切な用量へのアクセスを許可するステップとを含む、薬物を分配する方法。
【請求項２７】
１つ又は複数の薬物の１つ又は複数の用量を格納する固定可能な手段と、
前記１つ又は複数の薬物の前記１つ又は複数の用量へのアクセスを選択可能に許可する手段と、
ユーザからのユーザ入力を取得する電子インターフェース手段と、
処理手段であって、
前記ユーザ入力をデータベースと比較するステップと、
前記比較に応答して、前記複数の薬物から適切な薬物を決定し、且つ、前記薬物の前記１つ又は複数の用量から適切な用量を決定するステップと、
前記決定された薬物の適切な用量を選択するステップと、
前記適切な用量へのアクセスを選択可能に許可する手段を介する前記適切な用量へのアクセスを許可するステップとを行う処理手段とを備える、介護地点薬物ディスペンサ。